(57)【特許請求の範囲】
【請求項１】
内部に内容物（３）を所定量収納した上方開口状の有底の袋体（１）を保持するための上下両端を開口した筒状体（４）と、該筒状体（４）の上端に載置される該筒状体（４）と略同径の回転リング（７）と、降下して該回転リング（７）に吸着し上記袋体（１）の開口（２）の周縁部を該回転リング（７）との間に挾持するマグネット（８）と、該マグネット（８）と共に上記回転リング（７）を回転させ上記袋体（１）の開口（２）を絞り込むための駆動手段（９）と、を具備し、
上記マグネット（８）は、リング体（16）の下面に取着された複数の円弧状のマグネット片（81）（81）（81）から成り、
上記リング体（16）には、隣り合う上記マグネット片（81）（81）の間から、袋絞り後に、下方に向けて突出軸（24）を突出させ、上記マグネット（８）に吸着された上記回転リング（７）を、下方に突き放すエアシリンダ（23）が設けられていることを特徴とする袋絞り装置。
【発明の詳細な説明】
【０００１】
【発明の属する技術分野】
本発明は袋絞り装置に関する。
【０００２】
【従来の技術】
ポリエステルやビニール製の袋体では、内容物を収納した後は、袋体の口（開口）をヒートシール等の密封手段によって、シールするのが一般的である。しかし、ヒートシールする場合には、熱源が必要とされるため、袋体内に発火性の高い内容物を収納していると、火災が発生する虞がある。
【０００３】
【発明が解決しようとする課題】
一方、熱源を用いないで、接着剤で開口を閉じる方法では、その接着剤を開口部に塗着する工程と、接着部分を圧接する工程とを必要とし、かつ、接着剤を乾燥させるための（加熱）工程をも必要とし、多くの手間と時間を要する等の問題があった。また、他の物質との反応を避けなければならない薬品等を収納する場合には、接着剤を用いることができないこともあった。
【０００４】
そこで、本発明は、熱源や接着剤等を必要とすることなく、能率よく袋体の開口を絞ることができる装置を提供することを目的としている。
【０００５】
【課題を解決するための手段】
上述の目的を達成するために、本発明は、内部に内容物を所定量収納した上方開口状の有底の袋体を保持するための上下両端を開口した筒状体と、該筒状体の上端に載置される該筒状体と略同径の回転リングと、降下して該回転リングに吸着し上記袋体の開口の周縁部を該回転リングとの間に挾持するマグネットと、該マグネットと共に上記回転リングを回転させ上記袋体の開口を絞り込むための駆動手段と、を具備し、上記マグネットは、リング体の下面に取着された複数の円弧状のマグネット片から成り、上記リング体には、隣り合う上記マグネット片の間から、袋絞り後に、下方に向けて突出軸を突出させ、上記マグネットに吸着された上記回転リングを、下方に突き放すエアシリンダが設けられているものである。
【０００６】
【発明の実施の形態】
以下、本発明を、実施の形態を示す図面に基づいて詳説する。
【０００７】
図１は袋絞り装置の一部断面構成説明図、図２は要部分解説明図で、これらの図において、１は上方に開口２のある有底の袋体で、例えば、ポリエステルやビニール製等の比較的に柔軟で薄い素材からなる。３はその袋体１内に収納された内容物（例えば、薬品等）、４は上下両端が開口して上下両端にフランジ５，６を有する（好ましくは非磁性体から成る）筒状体（円筒体）、７は該筒状体４と略同径の磁性体から成る回転リング、８はその回転リング７を吸着して回転させるためのマグネット、９はそのマグネット８を回転させるための防爆用のエアモータ等から成る駆動手段である。
【０００８】
さらに詳細に説明すると、図１にて、10は袋体１を移送（紙面に垂直方向へ）するために地上に設けられたベルトコンベヤやローラコンベヤ等のコンベヤ、11は駆動手段９が取り付けられている上下可動の支持板、12はその支持板11を上下方向に案内するためのガイドレール、13は支持板11を上下方向に移動させるためのエアシリンダ、14はガイドレール12の基部とエアシリンダ13の基部が固定される支持アーム、15はその支持アーム14を支えている支柱である。
【０００９】
図１及び図３（Ａ）（Ｂ）に於て、回転リング７を吸着させるためマグネット８は、三つの円弧状に形成されたマグネット片81…から成り、リング体16の裏面に取り付けられ、そのリング体16が、三方向に延びる支持部材17を介して、支軸18の下端に固定されている。そして、その支軸18が、上下一対の軸受19，19を介して、支持板11に回転自在に支持されており、その支軸18に固着された被動プーリ20が、ベルト21を介して、エアモータ９の出力軸に設けられた駆動プーリ22に伝動連結されている。なお、図３（Ａ）は側面図、（Ｂ）は底面図である。
【００１０】
リング体16の上には、マグネット８に吸着された回転リング７を下方に突き放すためのエアシリンダ23…が設けられ、その突出軸（ピストンロッド）24…を、マグネット片81，81の間から、下方に向けて突出させるようになっている。なお、各突出軸24の先端は、常時は、リング体16の底面と面一状の位置にあり、突出時には、図３（Ａ）に二点鎖線で示すように、下方に向けて所定長さだけ突出し、後述するように、その先端をマグネット８に吸着されている回転リング７に当接させて下方に突き放すことができる。
【００１１】
以上のように構成される袋絞り装置による袋絞り方法について説明すると、まず、図１に示すように、コンベヤ10によって順次送られてくる内容物３を予め収納した袋体１が入った筒状体４のフランジ５の上に、回転リング７を載せ、次に、その袋体１の開口２の周縁部を回転リング７の上から外側に折り返した状態とする。なお、初期状態では、マグネット８は、図示のように、上方の所定位置に退避している。また、図１の状態となる前工程に於て、筒状体４の上部に回転リング７を予め載置しておき、後で、内容物３を充填してもよい。
【００１２】
次いで、図４に示すように、エアシリンダ13を下動させてマグネット８を降下させ、回転リング７を吸着させ、その回転リング７とマグネット８との間に、袋体１の開口２の周縁部を挟み付ける。その後、エアシリンダ13を少し上動させて、図５に示すように、回転リング７を、筒状体４のフランジ５から、少しだけ上方に離間させた状態とし、エアモータ９を駆動させ、回転リング７をマグネット８と共に回転させ、袋体１の開口２を絞り込む。
【００１３】
その位置にて、エアシリンダ23…を作動させ、その突出軸24…を下方に突出させることにより、回転リング７をマグネット８から突き放し、図６に示すように、再び、その回転リング７を筒状体４のフランジ５の上に載せる。この状態では、袋体１はその開口２を絞り込まれた状態で、筒状体４内に在る。これをそのままコンベヤ10で移動させて、別途、配置されている抜き取り装置（詳細な図示は省略）のアーム25，25に筒状体４を把持させ、その筒状体４を回転リング７と共に、上方に移動させて抜き取り、袋体１のみをコンベヤ10上に残して次工程（例えば、混練工程等）に移動させる（図７参照）。なお、柔軟な薄手の素材よりなる袋体１は、一旦、開口２が絞り込まれると、筒状体４を抜き取った後に於ても、ばらけることなく、ほぼ、そのままの状態が保持されている。
【００１４】
このように、本発明の袋絞り装置によれば、別途、熱源や接着剤等を用意することなく、コンベヤ10上で、きわめて能率よく、袋体１の開口２を絞ることができる。なお、本発明は、筒状体４を円筒体に特定するものではなく、その外形は多角形であってもよく、また、籠状であってもよく、あるいは、上下のリング体間に支柱を立設したものであってもよい。
【００１５】
また、回転リング７の内周縁に、筒状体４の内部にゆるく嵌合する下向きのフランジを設けて回転リング７を筒状体４に載せた時の安定性を向上させるようにしてもよく、回転リング７を非磁性体で形成し、その上面に磁性材料を張設してもよい。さらに、マグネット８を回転させるための駆動手段９は、エアモータに限られることなく、電動モータであってもよい。あるいは、エアシリンダ13に代えて、油圧シリンダや、その他の電動モータ等を駆動源とする昇降手段を用いてもよい。
【００１６】
【発明の効果】
本発明は上述の如く構成されているので、次に記載するような著大な効果を奏する。
【００１７】
請求項１記載の発明では、マグネット８と回転リング７との間に、袋体１の開口２の周縁部を挟み付けて、そのマグネット８を回転させることにより、袋体１の開口２を絞るので、熱源や接着剤等を用いることなく、能率よく袋体１の開口２を絞ることができる。
【図面の簡単な説明】
【図１】  本発明の袋絞り装置の初期状態を示す一部断面構成説明図である。
【図２】  要部分解説明図である。
【図３】  マグネットとエアシリンダの配置図である。
【図４】  袋絞り方法の説明図である。
【図５】  袋絞り方法の説明図である。
【図６】  袋絞り方法の説明図である。
【図７】  袋絞り方法の説明図である。
【符号の説明】
１  袋体
２  開口
３  内容物
４  筒状体
７  回転リング
８  マグネット
９  駆動手段
16 リング体
23 エアシリンダ
24 突出軸
81 マグネット片
【図１】
0004188485.tif 000002
【図２】
0004188485.tif 000003
【図３】
0004188485.tif 000004
【図４】
0004188485.tif 000005
【図５】
0004188485.tif 000006
【図６】
0004188485.tif 000007
【図７】
0004188485.tif 000008